【事件の表示】
　特許第３２３６１１８号「記録シート」の請求項１ないし３に係る特許に対する特許異議の申立てについて、次のとおり決定する。
【結　論】
　訂正を認める。
　特許第３２３６１１８号の請求項１ないし３に係る特許を維持する。
【理　由】
Ｉ．手続の経緯
　本件特許第３２３６１１８号に係る発明は、平成５年３月３１日に出願され、平成１３年９月２８日にその発明の特許の設定登録がなされた。
　本件特許公報は、平成１３年１２月１０日に発行され、その特許に対して、特許異議申立人　東谷満より特許異議の申立があり、取消理由通知がなされ、その指定期間内である平成１４年１０月３１日付けで訂正請求がなされたものである。
II．訂正の適否についての判断
１．訂正の内容
　平成１４年１０月３１日付訂正請求における訂正の内容は、以下のとおりである。
ａ．特許請求の範囲【請求項１】「基材上に、鎖式多価力ルボン酸（ポリマーを除く）を含有する・・・記録シート。」を「基材上に、鎖式多価力ルボン酸（ポリマーおよびシュウ酸を除く）を含有する・・・インクジェット用記録シート。」と訂正する。
ｂ．特許請求の範囲【請求項２】「基材上に、炭素数１０以下の鎖式多価力ルボン酸を含有する・・・記録シート。」を「基材上に、炭素数１０以下の鎖式多価力ルボン酸（シュウ酸を除く）を含有する・・・インクジェット用記録シート。」と訂正する。
ｃ．明細書の段落【０００４】「【課題を解決するための手段】本発明は、基材上に、鎖式多価カルボン酸（ポリマーを除く）を含有する多孔質インク受理層を有する記録シートであって、前記インク受理層が、無機粒子を、無機粒子に対して５〜５０重量％のバインダーで結合した構成である記録シートである。また、本発明は、基材上に、炭素数１０個以下の鎖式多価カルボン酸を含有する多孔質インク受理層を有する記録シートであって、前記インク受理層が、無機粒子を、無機粒子に対して５〜５０重量％のバインダーで結合した構成である記録シートである。」を「【課題を解決するための手段】本発明は、基材上に、鎖式多価カルボン酸（ポリマーおよびシュウ酸を除く）を含有する多孔質インク受理層を有する記録シートであって、前記インク受理層が、無機粒子を、無機粒子に対して５〜５０重量％のバインダーで結合した構成であるインクジェット用記録シートである。また、本発明は、基材上に、炭素数１０個以下の鎖式多価カルボン酸（シュウ酸を除く）を含有する多孔質インク受理層を有する記録シートであって、前記インク受理層が、無機粒子を、無機粒子に対して５〜５０重量％のバインダーで結合した構成であるインクジェット用記録シートである。」と訂正する。
ｄ．明細書の段落【０００５】「本発明において鎖式多価カルボン酸は、鎖式炭化水素の水素の２個以上をカルボキシル基で置換した酸およびシュウ酸からなる群から選ばれる有機酸である。ただし、ポリマーは除かれる。具体的には、マロン酸、コハク酸、アジピン酸、マレイン酸、シュウ酸などが挙げられる。・・・」を「本発明において鎖式多価カルボン酸は、鎖式炭化水素の水素の２個以上をカルボキシル基で置換した酸からなる群から選ばれる有機酸である。ただし、ポリマーは除かれる。具体的には、マロン酸、コハク酸、アジピン酸、マレイン酸などが挙げられる。・・・」と訂正する。
ｅ．明細書の段落【００２０】の表１の最下行を削除する。
２．訂正の目的の適否、新規事項の有無及び拡張・変更の存否
・上記訂正ａで、「鎖式多価力ルボン酸（ポリマーおよびシュウ酸を除く）を含有する」とする訂正は、除く化合物を加えることでその範囲をより狭く限定するものであり、また、「インクジェット用記録シート」とする訂正は、その使途をインクジェット方式プリンター用に限定するものであるから、特許法第１２０条の４第２項但し書第１号に規定する特許請求の範囲の減縮を目的とする訂正に該当するものであって、願書に添付した明細書の範囲内の訂正であって、実質上特許請求の範囲を拡張し又は変更するものではない。
・上記訂正ｂで、「炭素数１０個以下の鎖式多価力ルボン酸（シュウ酸を除く）を含有する」とする訂正は、除く化合物を加えることでその範囲をより狭く限定するものであり、また、「インクジェット用記録シート」とする訂正は、その使途をインクジェット方式プリンター用に限定するものであるから、特許法第１２０条の４第２項但し書第１号に規定する特許請求の範囲の減縮を目的とする訂正に該当するものであって、願書に添付した明細書の範囲内の訂正であって、実質上特許請求の範囲を拡張し又は変更するものではない。
・上記訂正ｃ〜ｅは、上記訂正ａ、ｂによる特許請求の範囲の減縮の訂正に伴い、特許請求の範囲と発明の詳細な説明欄の記載との不整合を正すものであるから、特許法第１２０条の４第２項但し書第３号に規定する明瞭でない記載の釈明に該当するものであり、願書に添付した明細書の範囲内の訂正であって、実質上特許請求の範囲を拡張し又は変更するものではない。 
３．むすび
　以上のとおりであるから、上記訂正は、特許法等の一部を改正する法律（平成６年法律第１１６号。以下「平成６年改正法」という。）附則第６条第１項の規定によりなお従前の例によるとされる、特許法第１２０条の４第３項において準用する平成６年改正法による改正前の特許法第１２６条第１項ただし書き、第２項及び第３項の規定に適合するので、当該訂正を認める。
III．特許異議の申立てについて
１．本件発明
　平成１４年１０月３１日付訂正明細書の請求項１〜３に係る発明は、その特許請求の範囲の請求項１〜３に記載される以下のとおりのものである。
「【請求項１】基材上に、鎖式多価カルボン酸（ポリマー及びシュウ酸を除く）を含有する多孔質インク受理層を有する記録シートであって、前記インク受理層が無機粒子を、無機粒子に対して５〜５０重量％のバインダーで結合した構成であるインクジェット用記録シート。
【請求項２】基材上に、炭素数１０個以下の鎖式多価カルボン酸（シュウ酸を除く）を含有する多孔質インク受理層を有する記録シートであって、前記インク受理層が無機粒子を、無機粒子に対して５〜５０重量％のバインダーで結合した構成であるインクジェット用記録シート。
【請求項３】多孔質インク受理層が擬べ一マイトである請求項１又は２記載の記録シート。」
２．特許異議申立の概要
　特許異議申立人は、
甲第１号証：特公平４−２７９５１号公報、
甲第２号証：特開平１−２２１５９４号公報、
甲第３号証：特開平５−５０７３９号公報、
甲第４号証：特開平３−２１５０８２号公報
を提出して、
本件請求項１〜２に係る発明は、それぞれ、甲第１〜２号証に記載された発明と同一であり、特許法第２９条第１項第３号の規定に違反して特許されたものであるから、また、本件請求項１〜３に係る発明は、甲第１〜４号証に記載された発明から容易に発明できたものであり、特許法第２９条第２項の規定に違反して特許されたものであるから、さらに、本件は、明細書の記載に不備があり、特許法第３６条第４〜６項の規定に違反して特許されたものであるから、特許を取り消すべきと主張している。
３．甲第１〜４号証に記載された発明
３．１．甲第１号証に記載された発明
　甲第１号証には、
《ア》「水溶性染料を含有する水性インクを用いて記録画像を形成するインクジェット記録媒体に於いて、該記録媒体がカチオン性樹脂、及びカリウム又はナトリウムからなるアルカリ金属の弱酸塩を含有することを特徴とするインクジェット記録媒体。」（特許請求の範囲第１項）、
《イ》「（Ｂ）従来技術及びその問題点・・・すなわち、当該記録媒体としては、インクドットの濃度が高く、色調が明るく彩やかであること、インクの吸収が早くてインクドットが重なった場合に於いてもインクが流れ出したり滲んだりしないこと、インクドットの横方向への拡散が必要以上に大きくなく、かつ周辺が滑らかでぼやけないこと、更に記録画像が紫外線や空気中の酸素又は水に曝された場合の染料の抵抗性を低下させず、好ましくは増強させること等が要求される。」（第１頁左欄下から第３行〜第２頁左欄第６行）、
《ウ》「本発明により、カリウム又はナトリウムからなるアルカリ金属の弱酸塩を含有することによって水溶性インク中に含まれる染料の耐光性が向上するが、なぜそうなるのか、その理由は定かではない。・・・本発明においては、カリウム又はナトリウムからなるアルカリ金属の弱酸塩は、炭酸塩、シュウ酸塩、ケイ酸塩であり、とくに好ましいものは炭酸カリウムである。」（第２頁右欄第２０〜３５行）、
《エ》「本発明で前記アルカリ金属の弱酸塩と好ましく併用される多孔性無機顔料とは、合成シリ力あるいは水和アルミニウム酸化物の一次粒子を凝集させて、平均二次粒子径０．５μｍ〜３０μｍの乾燥粉体としたもので、これらの合成シリ力あるいは水和アルミニウム酸化物は水溶性原材料から水溶液中で合成された場合、その一次粒子は数ｍμから数百ｍμの大きさを持ち、自己凝集性を有している為、乾燥してから粉砕、分級するなり、乾燥時にスプレードライヤー等を使用して目的とする粒度に調節することによって、多孔性無機顔料とすることができる。・・・本発明で云う多孔質の水和アルミニウム酸化物は、硫酸アルミニウム、硝酸アルミニウム、塩化アルミニウム及びその類似物のようなアルミニウム塩か、アルミン酸のナトリウムもしくはカリウム塩のようなアルミン酸アルカリ金属塩あるいはその両者の水溶性アルミニウム化合物の水溶液から中和あるいはイオン交換樹脂を用いてイオン交換して得たゲル、これをヒドロゲルと云うが、を通常は洗浄して塩類を除去し、次に乾燥を行って、キセロゲルにすることによって得られたものを云う。」（第２頁右欄第３８行〜第３頁左欄末行）、
《オ》「接着剤としては、例えば、酸化澱粉、・・・アルキッド樹脂等の合成樹脂系接着剤が、単独あるいは複合して用いられる。これらの接着剤は顔料１００部に対して２部〜１００部、好ましくは５部〜３０部が用いられるが顔料の結着に充分な量であればその比率は特に限定されるものではない。しかし、１００部をこえる接着剤を用いると接着剤の造膜により、空隙構造を減らし、あるいは空隙を極端に小さくしてしまうため、好ましくない。」（第４頁右欄第９〜３４行）と記載され、
また、実施例欄では、
《カ》実施例２で、原紙上に、多孔性無機顔料の合成シリカ１００部、ポリビニルアルコール樹脂９０部、カチオン性樹脂１０部、シュウ酸カリウム１０部を含む塗料を塗工、乾燥して、記録用シートを調製し、インクジェット記録試験すると、吸収性、色濃度、耐水性、耐光性とも良好であったことが示されている。
３．２．甲第２号証に記載された発明
　甲第２号証には、
《キ》「原紙の表面に、顔料および接着剤を主成分とする水性顔料塗料を塗被しキャスト塗被層を設け、次いで、該キャスト塗被層を加熱された金属製の鏡面ドラムに圧着、乾燥してキャストコート層を設けてなるキャストコート紙の製造方法において、キャスト塗被層が湿潤状態または半乾燥状態にある間に、蟻酸、酢酸、酒石酸、クエン酸、乳酸、コハク酸、リンゴ酸、安息香酸等のカルボン酸の水溶液で前処理し、続いて、乾燥、再湿潤することを特徴とするキャストコート紙の製造方法。」（特許請求の範囲）、
《ク》「〔産業上の利用分野〕本発明は、キャストコート紙の製造法に関するものである。特に、キャストコート紙特有の高光沢性その他の品質を損なうことなく、しかもピンホールの解消されたキャストコート紙の製造法に関するものである。
〔従来の技術〕キャストコート紙は、その表面の高光沢性、高平滑性等により印刷の再現性が極めて優れ、精密な高級印刷用に供され、美術印刷物、高級カタログ、雑誌の表紙、ラベル、包装紙等に広く使用されている。」（第１頁左下欄第１６行〜同頁右下欄第７行）、
《ケ》「本発明者らは、高い品質とりわけピンホールを生成せず、かつ生産性の高いキャストコート紙の製法について種々検討した結果、キャスト塗被層が湿潤または半乾燥状態にある間に、特定の金属塩の水溶液で処理した後、乾燥、更にリウエット処理することにより目的を達成出来ることを見出した。本発明では、金属塩による凝固処理がキャスト塗被層上で行われるため、塗工時の塗料の粘性変動は起きず、また凝固処理後の加熱乾燥によって凝固作用が促進確実化されるため、少量の凝固剤で目的を達成することが出来る。」（第３頁左上欄第４〜１５行）、
《コ》「顔料としては、クレー、カオリン、水酸化アルミニウム、酸化チタン、硫酸バリウム、各種プラスチックピグメント等が用いられる。また、接着剤としては、スチレン−ブタジエンラテックス・・・の合成樹脂ラテックスおよびカゼイン、大豆蛋白、酸化デンプン、変性デンプン、ポリビニルアルコール等の水溶性接着剤等が用いられる。これらの接着剤は、顔料１００重量部に対して合計で１５〜３０重量部の範囲で配合される。」（第３頁右上欄第１３行〜同頁左下欄第１行）と記載され、
また、実施例欄では、
《サ》実施例７として、原紙上に、カオリン８５部、水酸化アルミニウム１５部、スチレンブタジエン共重合体ラテックス１５部、カゼイン１０部を含む塗料を塗工してキャスト塗被層を設け、次いで、キャスト塗被層にコハク酸をスプレー塗布して後、加熱ドラムでキャスト乾燥して、キャストコート紙を調製し、品質試験を行うと、表面のピンホールは無く光沢度は高く、高品質であったことが示されている。
３．３．甲第３号証に記載された発明
　甲第３号証には、
《シ》「基材上に、溶媒吸収性の樹脂および無機質微粒子を含有する層を有し、その上層に多孔質アルミナ水和物からなる色素吸着層を有する記録シート。」（特許請求の範囲請求項１）、
《ス》「無機質微粒子の材質としては、・・・アルミナゾル、シリカゾルなど等のゾル状の微粒子を使用するのが好ましい。溶媒吸収性の樹脂および無機質微粒子を含有する層における無機質微粒子の含有量は、５〜５０重量％が好ましい。・・・」（第９〜１０段落）、《セ》「アルミナ水和物としては、色素をよく吸収定着することから、擬べーマイト（ＡｌＯＯＨ）が好ましい。アルミナ水和物層は、その細孔構造が実質的に半径が１０〜１００Åの細孔からなり、細孔容積が０．３〜１．０ｃｃ／ｇである場合は、十分な吸収性を有し、かつ、アルミナ水和物層も透明性があるので好ましい。・・・」（第１５段落）と記載され、
また、実施例欄では、
《ソ》実施例１として、ガラス製反応器に、水８１０ｇとイソプロパノール６７６ｇを仕込み、加熱、撹拌しながらアルミニウムイソプロポキシド３０６ｇを添加し、液温を７５〜７８℃に保持しながら５時間加水分解を行い、その後９５℃に昇温、酢酸９ｇを添加して４８時間、７５〜７８℃に保持、濃縮して、白色のゾルを得てから、そのゾルを乾燥して、擬べーマイト（窒素吸脱着法で測定した平均細孔半径は３０Å、１０〜１００Åの細孔半径を有する紬孔容積は０．６ｃｃ／ｇ）を調製したこと、
そのアルミナゾル１００部に、ポリビニルアルコール樹脂１５部を加えた塗工液を、ＰＥＴフィルムに塗布、乾燥して、記録シートを得たこと、
該記録シートにインクジェット記録試験すると、色再現性、耐久性、解像度等良好であったことが示されている。
３．４．甲第４号証に記載された発明
　甲第４号証には、
《タ》「基材上に多孔質のインク受容層を設けた記録用シートにおいて、インク受容層が主として擬べーマイトよりなり、そのインク受容層の半径４０〜１００Å未満を有する細孔の全容積が０．１以上０．４ｃｃ／ｇ未満であることを特徴とする記録用シート。」（特許請求の範囲請求項１）、
《チ》「本発明においてはこれら物性を有するインクの受容体として擬べーマイトを用いる場合に限り、インク中の染料を十分吸着し、透明性を損なわない程度の網孔容積でも十分な発色効果が得られ、他のアルミナ水和物では困難である。更に具体的には後述する実施例に示した如き触媒化成工業（株）から市販されている商品名「カタロイドＡＳ−３」の如き擬べーマイトに代表される様な、Ａｌ２Ｏ３固型分に換算して７重量％を含有するアルミナゾルを純水により１００倍に稀釈し、これを親水化したコロジオン膜上に滴下して乾燥せしめた場合、一定方向に配向した毛状束のアルミナ水和物の集合体を形成する様なアルミナゾルが最適である。」（第３頁右上欄第１〜１５行）、
《ツ》「バインダーとしては、一般にデンプンや・・・ポリビニルピロリドン等の有機物を用いることができる。また、その使用量は、・・・一般に擬べーマイトの１０〜５０重量％程度を採用するのが適当である。」（第３頁左下欄第１０〜１９行）と記載されている。
４．当審における判断
４．１．特許法第３６条第４〜６項違反について
　特許異議申立人が明細書の記載不備と指摘する具体的な理由は、下記の２点である。
〔理由ａ〕特許請求の範囲の請求項３では、「・・・多孔質インク受理層が擬べーマイトである請求項１又は請求項２記載の・・・」と記載され、多孔質インク受理層が擬ベーマイト単独で形成されている旨示されているが、請求項１又は請求項２によれば、該層には、カルボン酸が必ず含まれるのであるから、特許請求の範囲には矛盾した記載があり、発明の具体的構成が不明確である。
〔理由ｂ〕実施例欄には、インク受理層内のカルボン酸量の調整をどのようにして行うかが明確に記載されず、明細書には当業者が本件発明を実施できる程度に記載されているとはいえない。
そこで〔理由ａ〕について検討するに、
請求項３は、請求項１をすべて引用しているので、請求項３では、請求項１の構成が書かれなくても、そのすべての構成を備えるものである。従って、「鎖式多価カルボン酸」が含まれていないとすることはできない。
次に、請求項３の「多孔質インク受理層が擬べーマイトである」の記載の解釈であるが、明細書の対応する記載、即ち、明細書第７〜１４段落の「多孔質インク受理層」の具体的構成・組成に関する説明をみると、多孔質インク受理層は、無機粒子をバインダーで結合した構成が好ましく、無機粒子の材質としては特に擬べーマイトが好ましく、バインダーの使用量は、インク受理層の強度と吸収量のかね合いから、無機粒子の５〜５０重量％程度が好ましい旨が記載されている。
してみると、「多孔質インク受理層が擬べーマイトである」の記載は、「多孔質インク受理層に含まれる無機粒子が擬べーマイトである」という趣旨で書かれたと解することができるから、その意味は理解できる。よって、「インク受理層がカルボン酸を含有する」ことも含めて、発明の具体的構成が矛盾無く把握できるから、特許異議申立人の指摘はあたらない。
　〔理由ｂ〕について検討するに、
明細書第１６〜２２段落と表１には、１実施例であるが、記録シートの溶液の塗布は、数種の鎖式多価カルボン酸（及びその塩）と有機溶媒、水の溶媒係とからなる濃度：０．２モル／リットルの浸漬処理液を用いて行うことが記載されている。そして、浸漬条件と得られる酸量との関係は、明細書のどこにも記載がない。
しかし、記録シートを液中に浸漬する条件、例えば、時間、濃度等を変えて実施し、そのときに変化する酸量を周知の方法で測定すれば、特定酸量のものを得る浸漬条件は容易に分かることである。
それゆえ、酸量と浸漬条件との関係が具体的に説明されていないから、特定酸量のものを得ることが容易にできないということにはならない。
よって、この点からも明細書の記載が不備であるとは言えず、特許異議申立人の指摘はあたらない。
４．２．特許法第２９条第１項第３号違反について
４．２．１．本件請求項１に係る発明について
４．２．１．１．甲第１号証に記載された発明との対比・判断
　本件請求項１に係る発明と、甲第１号証の実施例２に記載された発明とを対比するに、後者の「原紙」、「多孔性無機顔料の合成シリカを含む塗工層」、「インクジェット記録媒体」は、それぞれ、前者の「基材」、「多孔質インク受理層」、「インクジェット記録用シート」に相当し、また、無機粒子／バインダーの割合（《オ》）も一致するから、
両者は、「基材上に、多孔質インク受理層を有する記録シートであって、前記インク受理層が無機粒子を、無機粒子に対して５〜５０重量％のバインダーで結合した構成であるインクジェット用記録シート。」で一致するが、
インク受理層に配合する酸（塩の形態も含む）について、前者が「鎖式多価力ルボン酸（ポリマー及びシュウ酸を除く）」と規定するのに対して、後者が、「アルカリ金属のシュウ酸塩」としている点で、明確に相違する。
　従って、本件請求項１に係る発明は、甲第１号証に記載された発明とはいえず、特許法第２９条第１項第３号の規定に違反して特許されたものとはいえない。
４．２．１．２．甲第２号証に記載された発明との対比・判断
　次に、本件請求項１に係る発明と、甲第２号証の実施例７に記載された発明とを対比する。
  後者で塗工層の凝固剤として使用される「コハク酸」は、前者の塗工層に配合される「鎖式多価カルボン酸（ポリマーおよびシュウ酸を除く）」に包含される。
　しかし、後者の「キャスト塗被層」は、白色無機顔料のカオリンを主要成分として塗工されており（《コ》）、副配合成分たる「水酸化アルミニウム」は、物性、性状等につき何らの説明も限定もないので「擬ベーマイト」のような特殊形態の多孔質顔料を意味しているものとは解されず、しかも、その塗工表面は、凝固剤たるコハク酸の適用、鏡面ドラムの加熱・加圧により、ピンホールが無く高平滑性、高光沢性となっているから（《ク》《ケ》）、「多孔質層」とはいえず、また、専ら美術印刷物等の精密な商業印刷に好適とされているから（《ク》）、インクジェット記録の「インク受理層」ともいえず、したがって、前者の「多孔性インク受理層」に相当するものとは認められない。
  結局、両者は、「基材上に、鎖式多価力ルボン酸（ポリマーおよびシュウ酸を除く）を含有する塗工層を有する記録シートであって、前記塗工層が無機粒子を、無機粒子に対して５〜５０重量％のバインダーで結合した構成である記録シート。」で一致するが、
塗工層について、前者が「多孔性インク受理層」と規定するのに対して、後者が、そのように規定していない点、及び、
記録シートについて、前者が「インクジェット用」と規定するのに対して、後者が、そのように規定していない点で、明確に相違する。
　従って、本件請求項１に係る発明は、甲第２号証に記載された発明とはいえず、特許法第２９条第１項第３号の規定に違反して特許されたものとはいえない。
４．２．２．本件請求項２に係る発明について
４．２．２．１．甲第１号証に記載された発明との対比・判断
　本件請求項２に係る発明と、甲第１号証の実施例２に記載された発明とを対比するに、後者の「原紙」、「多孔性無機顔料の合成シリカを含む塗工層」、「インクジェット記録媒体」は、それぞれ、前者の「基材」、「多孔質インク受理層」、「インクジェット用記録シート」に相当し、また、無機粒子／バインダーの割合（《オ》）も一致するから、
両者は、「基材上に、多孔質インク受理層を有する記録シートであって、前記インク受理層が無機粒子を、無機粒子に対して５〜５０重量％のバインダーで結合した構成であるインクジェット用記録シート。」で一致するが、
インク受理層に配合する酸（塩の形態も含む）について、前者が「鎖式多価カルボン酸（シュウ酸を除く）」と規定するのに対して、後者が、「アルカリ金属のシュウ酸塩」としている点で、明確に相違する。
　従って、本件請求項２に係る発明は、甲第１号証に記載された発明とはいえず、特許法第２９条第１項第３号の規定に違反して特許されたものとはいえない。
４．２．２．２．甲第２号証に記載された発明との対比・判断
　次に、本件請求項２に係る発明と、甲第２号証の実施例７に記載された発明とを対比する。
  後者で塗工層の凝固剤として使用される「コハク酸」は、前者の塗工層に配合される「炭素数１０個以下の鎖式多価カルボン酸（シュウ酸を除く）」に包含される。
　しかし、後者の「キャスト塗被層」は、白色無機顔料のカオリンを主要成分として塗工されており（《コ》）、副配合成分たる「水酸化アルミニウム」は、物性、性状等につき何らの説明も限定もないので「擬ベーマイト」のような特殊形態の多孔質顔料を意味しているものとは解されず、しかも、その塗工表面は、凝固剤たるコハク酸の適用、鏡面ドラムの加熱・加圧により、ピンホールが無く高平滑性、高光沢性となっているから（《ク》《ケ》）、「多孔質層」とはいえず、また、専ら美術印刷物等の精密な商業印刷に好適とされているから（《ク》）、インクジェット記録の「インク受理層」ともいえず、したがって、前者の「多孔性インク受理層」に相当するものとは認められない。
  結局、両者は、「基材上に、炭素数１０個以下の鎖式多価力ルボン酸（シュウ酸を除く）を含有する塗工層を有する記録シートであって、前記塗工層が無機粒子を、無機粒子に対して５〜５０重量％のバインダーで結合した構成である記録シート。」で一致するが、
塗工層について、前者が「多孔性インク受理層」と規定するのに対して、後者が、そのように規定していない点、及び、
記録シートについて、前者が「インクジェット用」と規定するのに対して、後者が、そのように規定していない点で、明確に相違する。
　従って、本件請求項２に係る発明は、甲第２号証に記載された発明とはいえず、特許法第２９条第１項第３号の規定に違反して特許されたものとはいえない。
４．３．特許法第２９条第２項違反について
４．３．１．本件請求項１に係る発明について
　本件請求項１に係る発明と、甲第１号証の実施例２に記載された発明とを対比すると、両者は、「基材上に、多孔質インク受理層を有する記録シートであって、前記インク受理層が無機粒子を、無機粒子に対して５〜５０重量％のバインダーで結合した構成であるインクジェット用記録シート。」で一致するが、
インク受理層に配合する酸（塩の形態も含む）について、前者が「鎖式多価力ルボン酸（ポリマー及びシュウ酸を除く）」と規定するのに対して、後者が、「アルカリ金属のシュウ酸塩」としている点で、相違する。（前掲４．２．１．１．参照）
　相違点について検討する。
甲第２号証には、記録シートの塗工層に、「鎖式多価カルボン酸（ポリマーおよびシュウ酸を除く）」に相当する「コハク酸」を用いることが記載されているが、その塗工層は、該コハク酸で高平滑性に凝固処理された「キャスト塗被層」であって、「多孔質インク受理層」ではなく、また、その記録シートは、専ら美術印刷物等の精密な商業印刷に好適とされ、「インクジェット記録用」ではないから、甲第１号証のものに結び付ける動機がない。（前掲４．２．１．２．参照）
　甲第３、４号証には、それぞれ、塗工層に「多孔質アルミナ水和物」、「擬ベーマイト」を配合して多孔質インク受理層を設けた記録シートが記載されているが、「鎖式多価力ルボン酸（ポリマー及びシュウ酸を除く）」を配合することについては、何らの記載も示唆もない。
  一方、本件請求項１に係る発明は、「鎖式多価力ルボン酸（ポリマー及びシュウ酸を除く）」の配合により、「長期の保存でも変色が生じない」（【発明の効果】欄参照）との甲号各証に示唆されない顕著な効果を奏するものである。
　従って、本件請求項１に係る発明は、甲号各証の記載に基づいて、当業者が容易に発明し得たものとはいえず、特許法第２９条第２項の規定に違反して特許されたものとはいえない。
４．３．２．本件請求項２に係る発明について
　本件請求項２に係る発明と、甲第１号証の実施例２に記載された発明とを対比すると、両者は、「基材上に、多孔質インク受理層を有する記録シートであって、前記インク受理層が無機粒子を、無機粒子に対して５〜５０重量％のバインダーで結合した構成であるインクジェット用記録シート。」で一致するが、
インク受理層に配合する酸（塩の形態も含む）について、前者が「炭素数１０個以下の鎖式多価カルボン酸（シュウ酸を除く）」と規定するのに対して、後者が、「アルカリ金属のシュウ酸塩」としている点で、相違する。（前掲４．１．２．１．参照）
　相違点について検討する。
甲第２号証には、記録シートの塗工層に、「炭素数１０個以下の鎖式多価カルボン酸（シュウ酸を除く）」に相当する「コハク酸」を用いることが記載されているが、その塗工層は、該コハク酸で高平滑性に凝固処理された「キャスト塗被層」であって、「多孔質インク受理層」ではなく、また、その記録シートは、専ら美術印刷物等の精密な商業印刷に好適とされ、「インクジェット記録用」ではないから、甲第１号証のものに結び付ける動機がない。（前掲４．２．２．２．参照）
　甲第３、４号証には、それぞれ、塗工層に「多孔質アルミナ水和物」、「擬ベーマイト」を配合して多孔質インク受理層を設けた記録シートが記載されているが、「炭素数１０個以下の鎖式多価力ルボン酸（シュウ酸を除く）」を配合することについては、何らの記載も示唆もない。
  一方、本件請求項２に係る発明は、「炭素数１０個以下の鎖式多価力ルボン酸（シュウ酸を除く）」の配合により、「長期の保存でも変色が生じない」（【発明の効果】欄参照）との甲号各証に示唆されない顕著な効果を奏するものである。
　従って、本件請求項２に係る発明は、甲号各証の記載に基づいて、当業者が容易に発明し得たものとはいえず、特許法第２９条第２項の規定に違反して特許されたものとはいえない。
４．３．３．本件請求項３に係る発明について
　本件請求項３に係る発明は、請求項１又は請求項２に係る発明を更に限定して、構成要件を付加したものであるから、請求項１又は請求項２に係る発明と同様の理由により、甲号各証の記載に基づいて、当業者が容易に発明し得たものとはいえず、特許法第２９条第２項の規定に違反して特許されたものとはいえない。
５．むすび
　以上のとおりであり、特許異議申立の理由及び証拠によっては、本件請求項１〜３に係る発明の特許を取り消すことはできない。
 また、他に本件発明の特許を取り消すべき理由を発見しない。
　よって、結論のとおり決定する。
【異議決定日】
平成１４年１２月１９日（２００２．１２．１９）
【訂正の要旨】
訂正の要旨
　特許第３２３６１１８号発明の特許明細書を　下記のとおり訂正する。
ａ．特許請求の範囲の減縮を目的として、
特許請求の範囲【請求項１】「基材上に、鎖式多価力ルボン酸（ポリマーを除く）を含有する・・・記録シート。」を「基材上に、鎖式多価力ルボン酸（ポリマーおよびシュウ酸を除く）を含有する・・・インクジェット用記録シート。」と訂正する。
ｂ．特許請求の範囲の減縮を目的として、
特許請求の範囲【請求項２】「基材上に、炭素数１０以下の鎖式多価力ルボン酸を含有する・・・記録シート。」を「基材上に、炭素数１０以下の鎖式多価力ルボン酸（シュウ酸を除く）を含有する・・・インクジェット用記録シート。」と訂正する。
ｃ．明瞭でない記載の釈明を目的として、
明細書の段落【０００４】「【課題を解決するための手段】本発明は、基材上に、鎖式多価カルボン酸（ポリマーを除く）を含有する多孔質インク受理層を有する記録シートであって、前記インク受理層が、無機粒子を、無機粒子に対して５〜５０重量％のバインダーで結合した構成である記録シートである。また、本発明は、基材上に、炭素数１０個以下の鎖式多価カルボン酸を含有する多孔質インク受理層を有する記録シートであって、前記インク受理層が、無機粒子を、無機粒子に対して５〜５０重量％のバインダーで結合した構成である記録シートである。」を「【課題を解決するための手段】本発明は、基材上に、鎖式多価カルボン酸（ポリマーおよびシュウ酸を除く）を含有する多孔質インク受理層を有する記録シートであって、前記インク受理層が、無機粒子を、無機粒子に対して５〜５０重量％のバインダーで結合した構成であるインクジェット用記録シートである。また、本発明は、基材上に、炭素数１０個以下の鎖式多価カルボン酸（シュウ酸を除く）を含有する多孔質インク受理層を有する記録シートであって、前記インク受理層が、無機粒子を、無機粒子に対して５〜５０重量％のバインダーで結合した構成であるインクジェット用記録シートである。」と訂正する。
ｄ．明瞭でない記載の釈明を目的として、
明細書の段落【０００５】「本発明において鎖式多価カルボン酸は、鎖式炭化水素の水素の２個以上をカルボキシル基で置換した酸およびシュウ酸からなる群から選ばれる有機酸である。ただし、ポリマーは除かれる。具体的には、マロン酸、コハク酸、アジピン酸、マレイン酸、シュウ酸などが挙げられる。・・・」を「本発明において鎖式多価カルボン酸は、鎖式炭化水素の水素の２個以上をカルボキシル基で置換した酸からなる群から選ばれる有機酸である。ただし、ポリマーは除かれる。具体的には、マロン酸、コハク酸、アジピン酸、マレイン酸などが挙げられる。・・・」と訂正する。
ｅ．明瞭でない記載の釈明を目的として、
明細書の段落【００２０】の表１の最下行を削除する。
（５４）【発明の名称】
記録シート
（５７）【特許請求の範囲】
　【請求項１】
　基材上に、鎖式多価カルボン酸（ポリマー
およびシュウ酸
インクジェット用
　【請求項２】
　基材上に、炭素数１０個以下の鎖式多価カルボン酸
（シュウ酸を除く）
インクジェット用
　【請求項３】
　多孔質インク受理層が擬ベーマイトである請求項１又は２記載の記録シート。
【発明の詳細な説明】
　【０００１】
　【産業上の利用分野】
　本発明は、記録シートに関する。
　【０００２】
　【従来の技術】
　インクジェット方式、静電転写方式、昇華型熱転写方式等の各種プリンターを用いて画像を形成することが多くなっている。この場合、普通の紙では、十分な吸収性や解像度が得られず、また透明なものが得られないので、例えば、特開平２−２７６６７０号等のように、基材に無機の多孔質層を形成した記録シートが提案されている。
　【０００３】
　【発明が解決しようとする課題】
　上記のように、インクの吸収性が良好で、かつ、色素の定着性の良好な多孔質層を有する記録シートにあっては、保存中に樹脂の可塑剤のようなものまで吸着し、変色をきたす場合があった。本発明は、インクの吸収性が良好で、かつ、色素の定着性の良好な記録シートであって、長期の保存でも変色のない記録シートを得ることを目的とする。
　【０００４】
　【課題を解決するための手段】
　本発明は、基材上に、鎖式多価カルボン酸（ポリマー
およびシュウ酸
インクジェット用
（シュウ酸を除く）
インクジェット用
　【０００５】
　本発明において鎖式多価カルボン酸は、鎖式炭化水素の水素の２個以上をカルボキシル基で置換した
酸か
酸な
　【０００６】
　鎖式多価カルボン酸は、塩の形で存在していてもよい。塩としては水溶液が酸性であるような塩が好ましく、このような塩としては多価カルボン酸のカルボキシル基の水素の一部が、他のカチオンで置換した塩が挙げられる。このときのカチオンとしては、アルカリ金属イオンまたはアンモニウムイオンが好ましい。
　【０００７】
　多孔質インク受理層に鎖式多価カルボン酸を付与する方法としては、あらかじめ形成した多孔質インク受理層に、鎖式多価カルボン酸を適当な溶媒に溶解した溶液を浸漬法またはスプレー法などで付与する方法が好ましく採用される。あるいは、多孔質インク受理層を形成する原料に鎖式多価カルボン酸を混合しておく方法なども採用することができる。多孔質インク受理層に前記溶液を付与する方法において、鎖式多価カルボン酸の溶解度に応じて、溶媒は適宜選択することができる。鎖式多価カルボン酸を塩の形で用いる場合には、水を溶媒として用いると前記溶液の付与が容易になるという利点がある。
　【０００８】
　鎖式多価カルボン酸の含有量としては、多孔質インク受理層の重量を基準として０．０５〜７．５重量％であることが好ましい。鎖式多価カルボン酸の含有量が０．０５重量％に満たない場合は、本発明の効果が十分発現せず、記録シートの変色が起こるおそれがあるので好ましくない。鎖式多価カルボン酸の含有量が７．５重量％を超える場合は、それ以上変色を抑制する効果が増大しないばかりか、多孔質インク受理層の吸収性を阻害するおそれがあるので好ましくない。鎖式多価カルボン酸のより好ましい含有量は、０．５〜５．５重量％である。
　【０００９】
　本発明において、多孔質インク受理層は、記録の際にインクを吸収し定着し得る多孔質層である。多孔質インク受理層の厚さは、薄すぎると色素を十分担持できず、色濃度の低い印刷物しか得られないおそれがあるので好ましくなく、厚すぎると多孔質インク受理層の強度が低下したり、透明性が減少して印刷物の透明性または質感が損なわれたりするおそれがあるので好ましくない。多孔質インク受理層の好ましい厚さは、１〜５０μｍである。
　【００１０】
　多孔質インク受理層は、無機粒子をバインダーで結合した構成が好ましい。無機粒子の材質としては、アルミナ、シリカまたはそれらの水和物が好ましい。多孔質インク受理層として、擬ベーマイト多孔質層を用いる場合は、吸収性が良好であるとともに、色素を選択的によく吸着するため、各種の記録方式を用いて、色濃度が高く鮮明な記録物が得られるので、特に好ましい。擬ベーマイトはＡｌＯＯＨの組成式で表されるアルミナ水和物であり、細孔構造を有する凝集体である。
　【００１１】
　擬ベーマイト多孔質層は、その細孔構造が実質的に半径が１０〜１００Åの細孔からなり、細孔容積が０．３〜１．０ｃｃ／ｇである場合は、十分な吸収性を有しかつ透明性もあるので好ましい。このとき、基材が透明であれば、記録シートも透明なものが得られる。基材が不透明である場合には、基材の質感を損なわずに必要とされる物性を付与することができる。これらの物性に加え、擬ベーマイト多孔質層の平均細孔半径が３０〜７０Åである場合はさらに好ましい。なお、細孔径分布の測定は、窒素吸脱着法による。
　【００１２】
　上記のような細孔構造を有する擬ベーマイト多孔質層を製造するには、アルミニウムのアルコキシドを加水分解して得たベーマイトゾルを用いるのが好ましい。基材上に塗布する手段は、ベーマイトゾルに、好ましくはバインダーを加えてスラリー状とし、ロールコーター、エアナイフコーター、ブレードコーター、ロッドコーター、バーコーターなどを用いて基材上に塗布し、乾燥する方法を採用することができる。
　【００１３】
　本発明において、無機粒子のバインダーとしては、でんぷんおよびその変性物、ポリビニルアルコールおよびその変性物、ＳＢＲラテックス、ＮＢＲラテックス、ヒドロキシセルロース、ポリビニルピロリドン等の有機物を用いることができる。バインダーの使用量は、少なすぎると多孔質インク受理層の強度が不十分になるおそれがあり、多すぎると多孔質インク受理層におけるインク吸収量や色素の担持量が低くなるおそれがあるので、無機粒子の５〜５０重量％程度が必要である。
　【００１４】
　本発明において、基材としては種々のものを使用することができる。例えば、ポリエチレンテレフタレート等のポリエステル、ポリカーボネート、ＥＴＦＥ等のフッ素系樹脂等のプラスチック、または紙等を使用することができる。また、多孔質インク受理層の接着強度を向上させる目的で、コロナ放電処理やアンダーコート等を行うこともできる。
　【００１５】
　【作用】
　本発明における鎖式多価カルボン酸の作用は明確にはわからないが、多孔質インク受理層に吸着されて、発色の原因となるプラスチックの可塑剤などの成分と何らかの相互作用をしてこれらの吸着または発色を抑制するものと思われる。
　【００１６】
　【実施例】
実施例１
　容量２０００ｃｃのガラス製反応器に、水５４０ｇとイソプロピルアルコール６７６ｇを仕込み、マントルヒーターにより液温が７５℃になるまで加熱した。撹拌しながらアルミニウムイソプロポキシド３０６ｇを添加し、液温を７５〜７８℃に保持しながら５時間加水分解した。その後９５℃に昇温し、酢酸９ｇを添加して４８時間、７５〜７８℃に保持して解膠した。さらにこの液を、９００ｇになるまで濃縮して、白色のゾルを得た。このゾルの乾燥物は擬ベーマイトであった。
　【００１７】
　このアルミナゾル５重量部にポリビニルアルコール１重量部を加えて、さらに水を加えて、固形分約１０％のスラリーを調製した。このスラリーを、コロナ放電処理を施したポリエチレンテレフタレート（厚さ１００μｍ）からなる基材の上に、バーコーターを用いて乾燥時の層厚が３０μｍになるように塗布、乾燥し擬ベーマイト質の多孔質インク受理層を形成した。
　【００１８】
　上記のようにして得られた記録シートの多孔質インク受理層の面を、表１に示す鎖式多価カルボン酸またはその塩の濃度０．２モル／リットルのエタノール溶液または水溶液に浸漬し、均一に溶液を塗布した。これを垂直に吊して風乾した後、ドラム乾燥器にて１４０℃、４分間加熱焼成した。
　【００１９】
　このようにして得られた記録シート（以下、処理シートという）と、鎖式多価カルボン酸での処理を行わない記録シート（以下、無処理シートという）の、それぞれの塗工面に同じ大きさのポリ塩化ビニルフィルムを重ねて、室内で１４日間保持して比較した。無処理シートは端部に黄色の着色が認められたが、処理シートはいずれもそのような着色は認められなかった。
　【００２０】
　【
表１
　【００２１】
実施例２
　紙の基材上に多孔質シリカを塗布して得られるコート紙について、実施例１と同様に、コート紙の塗工面に表１に示す鎖式多価カルボン酸の０．２モル／リットルの溶液を浸漬し、均一に溶液を塗布した。これを垂直に吊して風乾した後、ドラム乾燥器にて１４０℃、４分間加熱焼成した。
　【００２２】
　このようにして得られた処理シートと、無処理シートの、それぞれの塗工面に同じ大きさのポリ塩化ビニルフィルムを重ねて、室内で１４日間保持して比較した。無処理シートは端部に黄色の着色が認められたが、処理シートはいずれもそのような着色は認められなかった。
　【００２３】
　【発明の効果】
　本発明の記録シートは、インクの吸収性が良好で、かつ、色素の定着性が良好である。しかも、長期の保存でも変色が生じない。本発明の記録シートは、種々の記録方式に有効であるが、特にインクジェットプリンターの記録媒体として適する。